(57)【要約】【課題】四角形の紙を等分して折り畳むときに、折線の位置を簡単かつ迅速に決める。【解決手段】紙折り用定規１０は、第１基準側縁１２ａを有する第１定規１２と、第２基準側縁１４ａを有する第２定規１４と、第１基準側縁１２ａに位置する第１基準点Ｑと第２基準側縁１４ａに位置する第２基準点Ｒとを直線状に結ぶ側縁１６ａ（指示線）を有し、紙Ｐにおける第２定規１４側から数えて２番目の折線Ｌ２の位置を、第１辺Ｘ２と側縁１６ａとの交点Ｔ２として指し示す指示部１６とを備え、第１基準側縁１２ａと第２基準側縁１４ａとが直交する点を原点Ｏ１，Ｏ２としたとき、原点Ｏ２から第２基準点Ｒまでの距離は、第２辺Ｙ１，Ｙ２の長さの３倍であり、かつ、原点Ｏ１から第１基準点Ｑまでの距離は、第１辺Ｘ１，Ｘ２の長さの１倍であり、一方の第１辺Ｘ１の第２定規１４側とは反対側の端点が第１基準点Ｑに位置づけられる。【選択図】図１
2011220706.tif 000002
【特許請求の範囲】
【請求項１】
互いに平行に延びる２つの第１辺と前記第１辺に対して直交方向に延びる２つの第２辺とを有する四角形の紙を、第２辺に対して平行方向に延びるｎ−１本の折線に沿ってｎ等分する際に、前記折線の位置を示す、紙折用定規であって、
一方の前記第１辺に沿って配置される直線状の第１基準側縁を有する第１定規と、
前記第２辺に対して平行方向に延びて配置される直線状の第２基準側縁を有する第２定規と、
前記第１基準側縁に位置する第１基準点と前記第２基準側縁に位置する第２基準点とを直線状に結ぶ指示線を有し、前記紙における前記第２定規側から数えてＮ番目の前記折線の位置を、他方の前記第１辺と前記指示線との交点として指し示す指示部とを備え、
前記第１基準側縁と前記第２基準側縁とが直交する点を原点としたとき、前記原点から前記第２基準点までの距離は、前記第２辺の長さのｎ倍であり、かつ、前記原点から前記第１基準点までの距離は、前記第１辺の長さの（ｎ−Ｎ）倍であり、
前記一方の第１辺の前記第２定規側とは反対側の端点が前記第１基準点に位置づけられる、紙折り用定規。
【請求項２】
互いに平行に延びる２つの第１辺と前記第１辺に対して直交方向に延びる２つの第２辺とを有する四角形の紙を、第２辺に対して平行方向に延びる２本の折線に沿って３等分する際に、前記折線の位置を示す、紙折用定規であって、
一方の前記第１辺に沿って配置される直線状の第１基準側縁を有する第１定規と、
前記第２辺に対して平行方向に延びて配置される直線状の第２基準側縁を有する第２定規と、
前記第１基準側縁に位置する第１基準点と前記第２基準側縁に位置する第２基準点とを直線状に結ぶ指示線を有し、前記紙における前記第２定規側から数えて２番目の前記折線の位置を、他方の前記第１辺と前記指示線との交点として指し示す指示部とを備え、
前記第１基準側縁と前記第２基準側縁とが直交する点を原点としたとき、前記原点から前記第２基準点までの距離は、前記第２辺の長さの３倍であり、かつ、前記原点から前記第１基準点までの距離は、前記第１辺の長さの１倍であり、
一方の前記第１辺の前記第２定規側とは反対側の端点が前記第１基準点に位置づけられる、紙折り用定規。
【請求項３】
前記第１定規、前記第２定規および前記指示部のそれぞれは、互いに重ね合わせることができるように板状に構成されており、
少なくとも前記第１定規と前記第２定規とは、前記原点の近傍において回動自在に連結されている、請求項１または２に記載の紙折り用定規。
【請求項４】
前記指示部は、線状部材であり、
前記指示部の一方の端点が、前記第２基準点に固定されている、請求項１または２に記載の紙折り用定規。
【請求項５】
少なくとも２つの前記折線に対応する少なくとも２つの第１基準点を有し、
前記原点から第１の第１基準点までの距離は、前記第１辺の長さの２倍であり、
前記原点から第２の第１基準点までの距離は、前記第１辺の長さの１倍である、請求項１ないし４のいずれかに記載の紙折り用定規。
【発明の詳細な説明】
【技術分野】
【０００１】
本発明は、四角形の紙を等分して折り畳む際に、折線の位置を正確に決めることができる、紙折り用定規に関する。
【背景技術】
【０００２】
たとえば、便箋や定型紙等のような四角形の紙を封筒に入れる場合には、紙を折り畳む必要がある。このとき、紙を偶数等分（２等分、４等分など）にして折り畳むのであれば、紙の側縁どうしを重ね合わせることによって、所望の折線に沿って紙を正確に折ることができる。しかし、紙を奇数等分（３等分、５等分など）にして折り畳む場合には、紙の側縁どうしを重ね合わせて折ることができないので、折線の位置を正確に決めることが困難であり、その結果、折り重ねられた各層の位置がずれて見栄えが悪くなってしまう。
【０００３】
そこで、従来では、まず、（ａ）紙の長さを「物差し」を用いて正確に測定し、続いて、（ｂ）その測定値を等分数（３等分するのであれば「３」）で割り算し、その後、（ｃ）割り算で算出した値に対応する位置を「物差し」で確認して、当該位置を「折線の位置」と決めるようにしていた。なお、従来、折線の位置を正確に決める専用の道具はなく、先行技術文献は存在しない。
【発明の概要】
【発明が解決しようとする課題】
【０００４】
従来では、上記工程（ａ）〜（ｃ）を経ることによって、折線の位置を決めるようにしていたが、この方法では、各工程における作業が面倒であるとともに、全工程を終了するまでの作業時間が長くなるという課題があった。
【０００５】
本発明は、上記課題を解決するためになされたものであり、折線の位置を簡単かつ迅速に決めることができる、紙折り用定規を提供することを目的とする。
【課題を解決するための手段】
【０００６】
上記課題を解決するために、本発明に係る紙折り用定規は、互いに平行に延びる２つの第１辺と前記第１辺に対して直交方向に延びる２つの第２辺とを有する四角形の紙を、第２辺に対して平行方向に延びるｎ−１本の折線に沿ってｎ等分する際に、前記折線の位置を示す、紙折用定規であって、一方の前記第１辺に沿って配置される直線状の第１基準側縁を有する第１定規と、前記第２辺に対して平行方向に延びて配置される直線状の第２基準側縁を有する第２定規と、前記第１基準側縁に位置する第１基準点と前記第２基準側縁に位置する第２基準点とを直線状に結ぶ指示線を有し、前記紙における前記第２定規側から数えてＮ番目の前記折線の位置を、他方の前記第１辺と前記指示線との交点として指し示す指示部とを備え、前記第１基準側縁と前記第２基準側縁とが直交する点を原点としたとき、前記原点から前記第２基準点までの距離は、前記第２辺の長さのｎ倍であり、かつ、前記原点から前記第１基準点までの距離は、前記第１辺の長さの（ｎ−Ｎ）倍であり、前記一方の第１辺の前記第２定規側とは反対側の端点が前記第１基準点に位置づけられる。
【０００７】
この構成では、第１定規と第２定規と指示部とを備える単純な構成により、紙をｎ等分するときに、第２定規側から数えてＮ番目の折線の位置を、簡単かつ迅速に決めることができる。なお、「ｎ」は紙を等分する数であり、具体的には「２」以上の自然数である。
【０００８】
本発明に係るより具体的な紙折り用定規は、互いに平行に延びる２つの第１辺と前記第１辺に対して直交方向に延びる２つの第２辺とを有する四角形の紙を、第２辺に対して平行方向に延びる２本の折線に沿って３等分する際に、前記折線の位置を示す、紙折用定規であって、一方の前記第１辺に沿って配置される直線状の第１基準側縁を有する第１定規と、前記第２辺に対して平行方向に延びて配置される直線状の第２基準側縁を有する第２定規と、前記第１基準側縁に位置する第１基準点と前記第２基準側縁に位置する第２基準点とを直線状に結ぶ指示線を有し、前記紙における前記第２定規側から数えて２番目の前記折線の位置を、他方の前記第１辺と前記指示線との交点として指し示す指示部とを備え、前記第１基準側縁と前記第２基準側縁とが直交する点を原点としたとき、前記原点から前記第２基準点までの距離は、前記第２辺の長さの３倍であり、かつ、前記原点から前記第１基準点までの距離は、前記第１辺の長さの１倍であり、一方の前記第１辺の前記第２定規側とは反対側の端点が前記第１基準点に位置づけられる。
【０００９】
この構成では、紙を３等分するときに、紙の「表面」に対して指示部で「２番目の折線」の位置を指し示すことができる。また、紙を裏返すことによって、当該紙の「裏面」に対しても、指示部で「２番目の折線」の位置を指し示すことができる。紙を３等分するときには、紙の「裏面」における「２番目の折線」の位置は、紙の「表面」における「１番目の折線」の位置と一致するので、１つの紙折り用定規を用いて、紙を３等分するための２本の折線の位置を簡単かつ迅速に決めることができる。
【００１０】
前記第１定規、前記第２定規および前記指示部のそれぞれは、互いに重ね合わせることができるように板状に構成されており、少なくとも前記第１定規と前記第２定規とは、前記原点の近傍において回動自在に連結されていてもよい。
【００１１】
この構成では、第１定規、第２定規および指示部のそれぞれを重ね合わせることによって、紙折り用定規をコンパクトに畳むことができる。
【００１２】
前記指示部は、線状部材であり、前記指示部の一方の端点が、前記第２基準点に固定されていてもよい。
【００１３】
この構成では、線状の指示部の一方の端点が第２基準点に固定されているので、「指示線」の一方の端点を第２基準点に対して位置決めすることができる。ここで、「線状部材」とは、紐状部材および棒状部材のいずれをも含む概念であり、たとえば、タコ糸、針金および金属棒等が「線状部材」に該当する。したがって、この構成では、「線状部材」である指示部の全体が、第１基準点と第２基準点とを直線状に結ぶ「指示線」となる。
【００１４】
少なくとも２つの前記折線に対応する少なくとも２つの第１基準点を有し、前記原点から第１の第１基準点までの距離は、前記第１辺の長さの２倍であり、前記原点から第２の第１基準点までの距離は、前記第１辺の長さの１倍であってもよい。
【００１５】
この構成では、少なくとも２つの第１基準点に基づいて、紙の一方面において少なくとも２本の折線の位置を示すことができる。
【発明の効果】
【００１６】
本発明によれば、四角形の紙を等分して折り畳む際に、折線の位置を簡単かつ迅速に、しかも正確に決めることができる。したがって、折り重ねられた各層の位置がずれるのを防止して、折り畳まれた紙の見栄えをよくすることができる。
【図面の簡単な説明】
【００１７】
【図１】図１は、第１実施形態に係る紙折り用定規の構成を示す正面図である。
【図２】図２は、第１実施形態に係る紙折り用定規の原理を示す概念図である。
【図３】図３は、第１実施形態に係る紙折り用定規が畳まれるときの状態を示す図であり、（Ａ）は第１定規、第２定規および指示部が互いに回動される状態を示す平面図、（Ｂ）は紙折り用定規が棒状に畳まれた状態を示す平面図である。
【図４】図４は、第２実施形態に係る紙折り用定規の構成を示す正面図である。
【図５】図５は、第３実施形態に係る紙折り用定規の構成を示す正面図である。
【図６】図６は、第３実施形態に係る紙折り用定規の原理を示す概念図である。
【図７】図７は、第４実施形態に係る紙折り用定規の構成を示す正面図である。
【図８】図８は、第５実施形態に係る紙折り用定規の原理を示す概念図である。
【図９】図９は、第６実施形態に係る紙折り用定規の原理を示す概念図である。
【発明を実施するための形態】
【００１８】
以下に、本発明の好ましい実施形態に係る紙折り用定規について、図面を参照しながら説明する。
【００１９】
（第１実施形態）
［紙折り用定規の構成］
図１は、第１実施形態に係る紙折り用定規１０の構成を示す正面図である。
【００２０】
図１に示すように、紙折り用定規１０は、互いに平行に延びる２つの第１辺Ｘ１，Ｘ２と第１辺Ｘ１，Ｘ２に対して直交方向に延びる２つの第２辺Ｙ１，Ｙ２とを有する四角形の紙Ｐを、第２辺Ｙ１，Ｙ２に対して平行方向に延びる２本の折線Ｌ１，Ｌ２に沿って３等分して折り畳む際に、２本の折線Ｌ１，Ｌ２の位置を示すものであり、第１定規１２と、第２定規１４と、指示部１６とを備えている。なお、紙Ｐのサイズは、特に限定されるものではなく、Ａ４紙およびＢ５紙等の定型紙や、不定型の便箋等を適宜選択して用いることができる。
【００２１】
第１定規１２は、一方の第１辺Ｘ１に沿って配置される直線状の第１基準側縁１２ａを有する長尺板状の部材であり、第１定規１２の上面には、第１定規１２の一方端部１２ｂに位置する原点Ｏ１からの距離を示す目盛１８が第１基準側縁１２ａに沿って目視可能に設けられている。
【００２２】
第２定規１４は、第２辺Ｙ１，Ｙ２に対して平行方向に延びて配置される直線状の第２基準側縁１４ａを有する長尺板状の部材であり、第２定規１４の上面には、第２定規１４の一方端部１４ｂに位置する原点Ｏ２からの距離を示す第１目盛２０と、原点Ｏ２から第２基準側縁１４ａに沿って並べられた紙Ｐの端点の位置を示す第２目盛２２ａ，２２ｂ，２２ｃとが、第２基準側縁１４ａに沿って目視可能に設けられている。たとえば、紙Ｐの第２辺Ｙ１が、Ａ４紙の短辺である場合には、１番目の第２目盛２２ａは原点Ｏ２から２１０ｍｍの位置に設けられ、２番目の第２目盛２２ｂは原点Ｏ２から４２０ｍｍの位置に設けられ、３番目の第２目盛２２ｃは原点Ｏ２から６３０ｍｍの位置に設けられることになる。
【００２３】
第１定規１２における長手方向の一方端部１２ｂと、第２定規１４における長手方向の一方端部１４ｂとは、原点Ｏ１，Ｏ２の近傍において第１回動軸２４を介して回動可能に接続されており、第１基準側縁１２ａと第２基準側縁１４ａとを直交させた状態では、原点Ｏ１と原点Ｏ２とが重なるようになっている。したがって、本実施形態では、原点Ｏ１と原点Ｏ２とを重ね合わせることによって、第１基準側縁１２ａと第２基準側縁１４ａとを直交させることができる。なお、第１基準側縁１２ａと第２基準側縁１４ａとが直交した状態を保持するために、これらの交差角度が９０度になったときに相互の回動を止めるストッパ（図示省略）を、第１定規１２および第２定規１４の少なくとも一方に設けるようにしてもよい。
【００２４】
そして、本実施形態では、第１基準側縁１２ａと第２基準側縁１４ａとを直交させた状態において、第１基準側縁１２ａ上における原点Ｏ１から第１辺Ｘ１，Ｘ２の長さの１倍の距離を隔てた位置が、第１基準点Ｑとなっており、第２基準側縁１４ａ上における原点Ｏ２から第２辺Ｙ１，Ｙ２の長さの３倍の距離を隔てた位置が、第２基準点Ｒとなっている。そして、第１基準側縁１２ａの原点Ｏ１側とは反対側の端点が、第１基準点Ｑの位置を示す指標となっており、３番目の第２目盛２２ｃが、第２基準点Ｒの位置を示す指標となっている。したがって、ユーザは、第１基準点Ｑおよび第２基準点Ｒの位置を、第１基準側縁１２ａの端点および３番目の第２目盛２２ｃを目印にして確認することができる。
【００２５】
指示部１６は、長尺板状の部材であり、指示部１６における原点Ｏ１，Ｏ２側に位置する側縁１６ａが、第１基準点Ｑと第２基準点Ｒとを直線状に結ぶ「指示線」となっている。また、指示部１６の上面には、側縁１６ａの端点からの距離を示す目盛２６が側縁１６ａに沿って目視可能に設けられている。そして、第２定規１４における長手方向の他方端部１４ｃと、指示部１６における長手方向の一方端部１６ｂとが、第２回動軸２８を介して回動可能に接続されており、側縁１６ａの一部を第１基準点Ｑに位置づけた状態では、同時に、側縁１６ａの他の部分が第２基準点Ｒに位置づけられるようになっている。つまり、第１基準点Ｑと第２基準点Ｒとを側縁１６ａで結ぶことができるように、第２回動軸２８の位置が設計されている。
【００２６】
［紙折り用定規の原理］
図２は、第１実施形態に係る紙折り用定規１０の原理を示す概念図である。以下には、図２に従って、紙折り用定規１０の原理を説明する。
【００２７】
図２に示すように、紙Ｐと同じ形状およびサイズを有する３枚の紙Ｐ１，Ｐ２，Ｐ３を、第２辺Ｙ１，Ｙ２が直線状に連続するようにして、３行１列に並べて四角形Ｓを構成する。そして、この四角形Ｓに対角線Ｄを引く。すると、３枚の紙Ｐ１，Ｐ２，Ｐ３のそれぞれにおいて、対角線Ｄの一部を斜辺とする同一形状の直角三角形Ｅ１，Ｅ２，Ｅ３が得られ、これらの直角三角形Ｅ１，Ｅ２，Ｅ３の底辺ｅ１，ｅ２，ｅ３が、第１辺Ｘ１，Ｘ２を３等分にした長さと同じ長さになる。したがって、各直角三角形Ｅ１，Ｅ２，Ｅ３の頂点ｆ１，ｆ２，ｆ３が、第１辺Ｘ１，Ｘ２を３等分する位置を規定することになる。つまり、紙Ｐ１に着目すると、直角三角形Ｅ１における第１辺Ｘ２と対角線Ｄとの交点に位置する頂点ｆ１が、紙Ｐ１を３等分するときの２番目の折線Ｌ２の位置を規定することになる。
【００２８】
図２に示した紙Ｐ１に紙折り用定規１０（図１）を適用した場合を考えると、紙Ｐ１の１つの角に第１基準点Ｑが位置するとともに、四角形Ｓの対角線Ｄに「指示線」としての側縁１６ａが重なって位置する。そして、図１に示すように、指示部１６が、紙Ｐ１における第２定規１４側から数えて２番目の折線Ｌ２の位置を、第１辺Ｘ２と側縁１６ａとの交点Ｔ２として指し示す。したがって、紙折り用定規１０を用いて、紙Ｐ１に対して２番目の折線Ｌ２の位置を決めるときには、他の紙Ｐ２，Ｐ３は不要であり、紙折り用定規１０を単独の紙Ｐに適用した場合でも、２番目の折線Ｌ２の位置を上記原理に基づいて簡単かつ迅速に決めることができる。
【００２９】
［紙折り用定規の使用方法］
図１に示すように、紙折り用定規１０を用いて折線Ｌ１，Ｌ２の位置を決める際には、まず、第１基準側縁１２ａと第２基準側縁１４ａとを直交させた状態において、紙Ｐにおける一方の第１辺Ｘ１の第２定規１４側とは反対側の端点を第１基準点Ｑに位置づける。また、第２定規１４に対する指示部１６の傾斜角度を調整して、第１基準点Ｑと第２基準点Ｒとを「指示線」としての側縁１６ａで直線状に結ぶ。そして、紙Ｐにおける他方の第１辺Ｘ２と側縁１６ａとの交点Ｔ２を確認し、その交点Ｔ２を、第２定規１４側から数えて２番目の折線Ｌ２の位置と決める。
【００３０】
紙Ｐの「表面」に対して２番目の折線Ｌ２の位置が決まると、紙Ｐを裏返した後、上記工程と同じ工程を経て、紙Ｐの「裏面」に対しても２番目の折線Ｌ２の位置を決める。本実施形態では、紙Ｐを３等分するようにしているので、「裏面」における２番目の折線Ｌ２の位置は、「表面」における１番目の折線Ｌ１の位置と一致する。したがって、以上の工程により、紙Ｐを３等分するための２本の折線Ｌ１，Ｌ２の位置を簡単かつ迅速に決めることができ、２本の折線Ｌ１，Ｌ２に沿って紙Ｐを３等分して折り畳むことができる。
【００３１】
そして、紙折り用定規１０を使用しないときには、図３（Ａ）に示すように、第１定規１２、第２定規１４および指示部１６を相互に重ね合わせる方向（図中の矢印の方向）に回動させ、図３（Ｂ）に示すように、これらを１本の棒状にしてケース３０に収納する。
【００３２】
なお、上記原理に従えば、図２に示した紙Ｐ２の位置に紙Ｐを配置することによって、すなわち紙折り用定規１０（図１）における１番目の第２目盛２２ａと２番目の第２目盛２２ｂとの間に紙Ｐを配置することによって、第２定規１４側から数えて１番目の折線Ｌ１の位置と、２番目の折線Ｌ２の位置とを同時に決めることも可能である。
【００３３】
また、図２に示した紙Ｐ３の位置に紙Ｐを配置することによって、すなわち紙折り用定規１０（図１）における２番目の第２目盛２２ｂと３番目の第２目盛２２ｃとの間に紙Ｐを配置することによって、第２定規１４側から数えて１番目の折線Ｌ１の位置を決めることも可能である。
【００３４】
（第２実施形態）
図４は、第２実施形態に係る紙折り用定規４０の構成を示す正面図である。
【００３５】
図４に示すように、紙折り用定規４０は、第１定規１２と、第２定規１４と、指示部４２とを備えており、指示部４２における原点Ｏ１，Ｏ２側とは反対側に位置する側縁４２ａが、第１基準点Ｑと第２基準点Ｒとを直線状に結ぶ「指示線」となっている。したがって、第２実施形態によれば、指示部４２を原点Ｏ１，Ｏ２に近づけて配置することが可能であり、全体サイズを小型化することができる。
【００３６】
（第３実施形態）
［紙折り用定規の構成］
図５は、第３実施形態に係る紙折り用定規５０の構成を示す正面図である。
【００３７】
図５に示すように、紙折り用定規５０は、紙Ｐを３等分するときに、第２定規５４側から数えて１番目の折線Ｌ１の位置を決めるものであり、２番目の折線Ｌ２の位置を決める紙折り用定規１０（図１）または４０（図４）と併用することによって、紙Ｐを３等分するための２本の折線Ｌ１，Ｌ２の位置を決めることができる。
【００３８】
紙折り用定規５０は、第１定規５２と、第２定規５４と、指示部５６とを備えており、指示部５６における原点Ｏ１，Ｏ２側に位置する側縁５６ａが、第１基準点Ｑと第２基準点Ｒとを直線状に結ぶ「指示線」となっている。そして、原点Ｏ１から第１基準点Ｑまでの距離は、第１辺Ｘ１，Ｘ２の長さの２倍に設計されており、原点Ｏ２から第２基準点Ｒまでの距離は、第２辺Ｙ１，Ｙ２の長さの３倍に設計されている。
【００３９】
［紙折り用定規の原理］
図６は、第３実施形態に係る紙折り用定規５０の原理を示す概念図である。以下には、図６に従って、紙折り用定規５０の原理を説明する。
【００４０】
図６に示すように、紙Ｐと同じ形状およびサイズを有する６枚の紙Ｐ１〜Ｐ６を、３行２列に並べて四角形Ｓを構成する。そして、この四角形Ｓに対角線Ｄを引く。すると、各行において、対角線Ｄの一部を斜辺とする同一形状の直角三角形Ｅ１，Ｅ２，Ｅ３が得られ、これらの直角三角形Ｅ１，Ｅ２，Ｅ３の底辺ｅ１，ｅ２，ｅ３が、四角形Ｓの幅（第１辺Ｘ１，Ｘ２の２倍の長さ）を３等分にした長さと同じ長さになる。したがって、各直角三角形Ｅ１，Ｅ２，Ｅ３の頂点ｆ１，ｆ２，ｆ３が、四角形Ｓの幅を３等分する位置を規定することになり、紙Ｐ４に着目すると、直角三角形Ｅ１における第１辺Ｘ２と対角線Ｄとの交点に位置する頂点ｆ１が、紙Ｐ４を３等分するときの１番目の折線Ｌ１の位置を規定することになる。
【００４１】
図６に示した紙Ｐ４に紙折り用定規５０（図５）を適用した場合を考えると、紙Ｐ４の１つの角に第１基準点Ｑが位置するとともに、四角形Ｓの対角線Ｄに「指示線」としての側縁５６ａが重なって位置する。そして、図５に示すように、指示部５６が、紙Ｐ４における第２定規５４側から数えて１番目の折線Ｌ１の位置を、第１辺Ｘ２と側縁５６ａとの交点Ｔ１として指し示す。したがって、紙折り用定規５０を用いて、紙Ｐ４に対して１番目の折線Ｌ１の位置を決めるときには、他の紙Ｐ１，Ｐ２，Ｐ３，Ｐ５，Ｐ６は不要であり、紙折り用定規５０を単独の紙Ｐに適用した場合でも、１番目の折線Ｌ１の位置を上記原理に基づいて簡単かつ迅速に決めることができる。
【００４２】
（第４実施形態）
図７は、第４実施形態に係る紙折り用定規６０の構成を示す正面図である。
【００４３】
図７に示すように、紙折り用定規６０は、第１定規６２と、第２定規６４と、指示部６６とを備えており、指示部６６が、タコ糸、針金および金属棒等のような「線状部材」で構成されている。つまり、第４実施形態では、線状の指示部６６の全体が「指示線」となっている。そして、指示部６６の一方の端点６６ａが、第２基準点Ｒに固定されており、指示部６６の他方の端点６６ｂには、手指等で把持されるリング６８が取り付けられている。
【００４４】
第４実施形態によれば、「指示線」としての指示部６６の一方の端点６６ａが第２基準点Ｒに固定されているので、第２定規６４に対する指示部６６の傾斜角度αが変化した場合でも、端点６６ａの位置が第２基準点Ｒからずれることはない。したがって、原点Ｏ１から第１辺Ｘ１，Ｘ２の長さの２倍の距離を隔てた点を１番目の第１基準点Ｑ１とし、原点Ｏ１から第１辺Ｘ１，Ｘ２の長さの１倍の距離を隔てた点を２番目の第１基準点Ｑ２とすることによって、紙Ｐの一方面において２本の折線Ｌ１，Ｌ２の位置を決めることができる。
【００４５】
つまり、図７中の実線で示すように、第１の第１基準点Ｑ１と第２基準点Ｒとを指示部６６で結ぶことにより、上記第３実施形態の原理（図５、図６）に基づいて、１番目の折線Ｌ１の位置を決めることができ、また、図７中の二点鎖線で示すように、第２の第１基準点Ｑ２と第２基準点Ｒとを指示部６６で結ぶことにより、上記第１実施形態の原理（図１、図２）に基づいて、２番目の折線Ｌ２の位置を決めることができる。
【００４６】
（他の実施形態）
図８は、第５実施形態に係る紙折り用定規の原理を示す概念図であり、図９は、第６実施形態に係る紙折り用定規の原理を示す概念図である。第１実施形態の原理（図１、図２）および第３実施形態の原理（図５、図６）は、紙Ｐを３等分する場合だけでなく、ｎ等分（ｎ：２以上の自然数）する場合に広く用いることができる。
【００４７】
つまり、図８に示すように、互いに平行に延びる２つの第１辺Ｘ１，Ｘ２と第１辺Ｘ１，Ｘ２に対して直交方向に延びる２つの第２辺Ｙ１，Ｙ２とを有する四角形の紙Ｐを、第２辺Ｙ１，Ｙ２に対して平行方向に延びるｎ−１本の折線Ｌ１，Ｌ２…Ｌｎ−１（図８では、ｎ＝５）に沿ってｎ等分する場合を考えると、紙Ｐにおける第２定規側（原点Ｏ１側）から数えてＮ番目の折線ＬＮ（図８では、Ｎ＝１，２，３，４）の位置を、第１基準点ＱＮと第２基準点Ｒとを直線状に結ぶ指示線Ｇと、第１辺Ｘ２との交点ＴＮとして指し示すことができる。このとき、原点Ｏ１から第１基準点ＱＮまでの距離は、第１辺Ｘ１，Ｘ２の長さの（ｎ−Ｎ）倍となるように設計され、紙Ｐにおける一方の第１辺Ｘ１の「第２定規」側（すなわち原点Ｏ１側）とは反対側の端点が第１基準点ＱＮに位置づけられる。また、原点Ｏ２から第２基準点Ｒまでの距離は、第２辺Ｙ１，Ｙ２の長さのｎ倍となるように設計される。
【００４８】
そして、この一般化した原理に具体的な数値を当て嵌めることによって、紙Ｐの等分数ｎが偶数であるか、或いは、奇数であるかにかかわらず、第１基準点ＱＮおよび第２基準点Ｒの位置（すなわち原点Ｏ１，Ｏ２からの距離）を適切に設計することができる。
【００４９】
たとえば、図７に示すように、紙Ｐを３等分（ｎ＝３）にして折り畳むときに、１番目（Ｎ＝１）の折線Ｌ１の位置を決める場合には、原点Ｏ１から１番目の第１基準点Ｑ１までの距離が、第１辺Ｘ１，Ｘ２の長さの（ｎ−Ｎ＝２）倍となり、２番目（Ｎ＝２）の折線Ｌ２の位置を決める場合には、原点Ｏ１から２番目の第１基準点Ｑ２までの距離が、第１辺Ｘ１，Ｘ２の長さの（ｎ−Ｎ＝１）倍となる。そして、原点Ｏ２から第２基準点Ｒまでの距離が、第２辺Ｙ１，Ｙ２の長さの（ｎ＝３）倍となる。
【００５０】
また、図８に示すように、紙Ｐを５等分（ｎ＝５）にして折り畳むときに、１番目（Ｎ＝１）の折線Ｌ１の位置を決める場合には、原点Ｏ１から１番目の第１基準点Ｑ１までの距離が、第１辺Ｘ１，Ｘ２の長さの（ｎ−Ｎ＝４）倍となり、２番目（Ｎ＝２）の折線Ｌ２の位置を決める場合には、原点Ｏ１から２番目の第１基準点Ｑ２までの距離が、第１辺Ｘ１，Ｘ２の長さの（ｎ−Ｎ＝３）倍となる。また、３番目（Ｎ＝３）の折線Ｌ３の位置を決める場合には、原点Ｏ１から３番目の第１基準点Ｑ３までの距離が、第１辺Ｘ１，Ｘ２の長さの（ｎ−Ｎ＝２）倍となり、４番目（Ｎ＝４）の折線Ｌ４の位置を決める場合には、原点Ｏ１から４番目の第１基準点Ｑ４までの距離が、第１辺Ｘ１，Ｘ２の長さの（ｎ−Ｎ＝１）倍となる。そして、原点Ｏ２から第２基準点Ｒまでの距離が、第２辺Ｙ１，Ｙ２の長さの（ｎ＝５）倍となる。
【００５１】
さらに、図９に示すように、紙Ｐを４等分（ｎ＝４）にして折り畳むときに、１番目（Ｎ＝１）の折線Ｌ１の位置を決める場合には、原点Ｏ１から１番目の第１基準点Ｑ１までの距離が、第１辺Ｘ１，Ｘ２の長さの（ｎ−Ｎ＝３）倍となり、２番目（Ｎ＝２）の折線Ｌ２の位置を決める場合には、原点Ｏ１から２番目の第１基準点Ｑ２までの距離が、第１辺Ｘ１，Ｘ２の長さの（ｎ−Ｎ＝２）倍となり、３番目（Ｎ＝３）の折線Ｌ３の位置を決める場合には、原点Ｏ１から３番目の第１基準点Ｑ３までの距離が、第１辺Ｘ１，Ｘ２の長さの（ｎ−Ｎ＝１）倍となる。そして、原点Ｏ２から第２基準点Ｒまでの距離が、第２辺Ｙ１，Ｙ２の長さの（ｎ＝４）倍となる。
【００５２】
なお、上述の各実施形態では、「第１定規」と「第２定規」と「指示部」とを、互いに独立した部品として別々に形成しているが、少なくとも「第１定規」と「第２定規」とを、１つの部品として一体的に形成してもよい。
【符号の説明】
【００５３】
Ｄ…  対角線
Ｅ１〜Ｅ３…  直角三角形
ｅ１〜ｅ３…  底辺
ｆ１〜ｆ３…  頂点
Ｌ，ＬＮ…  折線
Ｏ１，Ｏ２…  原点
Ｐ，Ｐ１〜Ｐ６…  紙
Ｑ，ＱＮ…  第１基準点
Ｒ…  第２基準点
Ｓ…  四角形
ＴＮ…  交点
Ｘ１，Ｘ２…  第１辺
１０…  紙折り用定規
１２ａ…  第１基準側縁
１２…  第１定規
１４ａ…  第２基準側縁
１４…  第２定規
１６ａ…  側縁（指示線）
１６…  指示部
２４…  第１回動軸
２８…  第２回動軸
３０…  ケース
４０，５０，６０…  紙折り用定規
４２，５６，６６…  指示部
６８…  リング
【図１】
2011220706.tif 000003
【図２】
2011220706.tif 000004
【図３】
2011220706.tif 000005
【図４】
2011220706.tif 000006
【図５】
2011220706.tif 000007
【図６】
2011220706.tif 000008
【図７】
2011220706.tif 000009
【図８】
2011220706.tif 000010
【図９】
2011220706.tif 000011